(57)【要約】      （修正有）【課題】従来の手紙や写真だけでは当事者の人柄を伝えるのには限界があるのを、動画情報を伝える手段を提供することにより充実させる。【解決手段】発送物にＷｅｂサイトにリンクさせる為のＵＲＬ情報を示す２次元コード及び／又は識別符号を印刷して発送することにより、発送物を受取った側ではこのＷｅｂサイトに容易にアクセスすることができ、発送者側の意図を動画情報で正確かつ明確に知る事が出来る。【選択図】図１
2010250423.tif 000002
【特許請求の範囲】
【請求項１】
発送物に、特定のＷｅｂサイトにリンクするＵＲＬと関連付けられた二値以上の２次元コード及び／又は識別符号を備えた事を特徴とする発送物
【発明の詳細な説明】
【技術分野】
【０００１】
本発明は、幸せな出来事の時に行なう発送物に関するもので、発送当事者が発送の意図を正確かつ明確に伝える為に、発送物より特定のＷｅｂサイトにリンクさせる為の手法に関するものである。
【背景技術】
【０００２】
従来からの出産、年賀又は婚礼時のお知らせは、形式的な挨拶文以外に、新生児、家族の写真又は新郎新婦の写真を発送する事がなわれている。
【発明の概要】
【発明が解決しようとする課題】
【０００３】
従来の挨拶文や写真だけでは、当事者の人柄を伝えるのには限界があった。本発明は、当事者又は当事者に関係する家族の人柄を正確に伝える為に当事者又は当事者に関係する家族の映像を動画配信する。
【課題を解決するための手段】
【０００４】
そして、本発明は上記目的を達成するために発送物に動画配信サイトへつながるＵＲＬのスタンプを作成し、発送物にスタンプする、或いは、カード、シート、シールにスタンプしたものを同封又は備える事を特徴とする。
【０００５】
又は、発送物に動画配信サイトへつながるＵＲＬと関連付けられた２次元コードのスタンプを作成し、発送物にスタンプする、或いは、カード、シート、シールにスタンプしたものを同封又は備える事を特徴とする。
【０００６】
そして、本発明は上記目的を達成するために発送物に動画配信サイトへつながるＵＲＬを作成し、発送物に印刷する、或いは、カード、シート、シールに印刷したものを同封又は備える事を特徴とする。
【０００７】
又は、発送物に動画配信サイトへつながるＵＲＬと関連付けられた２次元コードを作成し、発送物に印刷する、或いは、カード、シート、シールに印刷したものを同封又は備える事を特徴とする。用語の説明  発送物とは、はがき・封書・宅配等をいう。備えるとは、スタンプ・印刷・カードやシートの同封・ＩＣチィプの埋込をいう。
【発明の効果】
【０００８】
従来の挨拶文や写真だけでは、当事者の人柄を伝えるのには限界があった。本発明は、当事者又は当事者に関係する家族の動画配信により、声質や動き、話す内容や話し方により写真のみでは伝わり難い人柄や情報を伝える事が可能になる。
【図面の簡単な説明】
【０００９】
【図１】特定のＷｅｂサイトにリンクするＵＲＬをはがきにスタンプした図
【図２】特定のＷｅｂサイトにリンクする2次元コードをスタンプした図
【図３】特定のＷｅｂサイトにリンクするＵＲＬや2次元コードのスタンプ図
【図４】特定のＷｅｂサイトにリンクするＵＲＬ情報を持つシール台紙図
【図５】携帯電話で２次元コードを読み取る図
【図６】携帯電話から特定リンク先へアクセスする図
【発明を実施するための形態】
【００１０】
本発明を実施するために、図３に示すように特定のＷｅｂサイトにリンクするＵＲＬのスタンプ又は、図３に示すＵＲＬと関連した２次元コードのスタンプを作成する。
【００１１】
図１に示すように全ての発送物にスタンプする、或いは、カード、シート、シールにスタンプしたものを同封し発送する。
【００１２】
携帯電話のインターネット機能と２次元コード読取機能により、株式会社デンソーが公開しているコード（ＪＩＳ・ＩＳＯ規格）を利用する。
【００１３】
図５に示すように発送物を受け取った側は、ＵＲＬを携帯電話に直接入力または、２次元コード読取機能を使いＷｅｂサイトへアクセスする。
【００１４】
図６に示すようにアクセスしたサーバーから当事者が用意した動画がダウンロード或いはストリーミング配信されたデーターを携帯電話の機能で動画として再生する。
【００１５】
出産知らせや年賀状に、特定のＷｅｂサイトにリンクするＵＲＬと関連付けられた二値以上の２次元コード及び／又は識別符号が形作られたスタンプ印がスタンプされたる事を特徴とする年賀状。
【００１６】
出産知らせや年賀状に、特定のＷｅｂサイトにリンクするＵＲＬと関連付けられた二値以上の２次元コード及び／又は識別符号が印刷されたＵＲＬリンク印刷部を備えることを特徴とする年賀状。
【００１７】
出産知らせや年賀状に、特定のＷｅｂサイトにリンクするＵＲＬと関連付けられた二値以上の２次元コード及び／又は識別符号が印刷されるか或いは無線ＩＣチップが埋め込まれたシールが貼り付けられていることを特徴とする年賀状。
【００１８】
出産知らせや年賀状に、特定のＷｅｂサイトにリンクするＵＲＬと関連付けられた二値以上の２次元コード及び／又は識別符号が印刷されるか或いは無線ＩＣチップが埋め込まれたカード、シート、又はシールのいずれかと、を備えることを特徴とする年賀状。
【００１９】
結婚式又は結婚披露宴における、当事者氏名を印刷した氏名印刷部と、開催日時を印刷した開催日時印刷部と、開催場所を印刷した開催場所印刷部と、を少なくとも備える招待案内状と、前記招待案内状に対する返信用葉書と、前記招待案内状及び返信用葉書を封入する封筒と、から少なくとも構成され、前記招待案内状、前記返信用葉書、又は前記封筒のいずれか１つ以上に、特定のＷｅｂサイトにリンクするＵＲＬと関連付けられた二値以上の２次元コード及び／又は識別符号が形作られたスタンプ印がスタンプされたる事を特徴とする招待状
【００２０】
結婚式又は結婚披露宴における、当事者氏名を印刷した氏名印刷部と、開催日時を印刷した開催日時印刷部と、開催場所を印刷した開催場所印刷部と、を少なくとも備える招待案内状と、前記招待案内状に対する返信用葉書と、前記招待案内状及び返信用葉書を封入する封筒と、から少なくとも構成され、前記招待案内状、前記返信用葉書、又は前記封筒のいずれか１つ以上に、特定のＷｅｂサイトにリンクするＵＲＬと関連付けられた二値以上の２次元コード及び／又は識別符号が印刷されたＵＲＬリンク印刷部を備えることを特徴とする招待状。
【００２１】
結婚式又は結婚披露宴における、当事者氏名を印刷した氏名印刷部と、開催日時を印刷した開催日時印刷部と、開催場所を印刷した開催場所印刷部と、を少なくとも備える招待案内状と、前記招待案内状に対する返信用葉書と、前記招待案内状及び返信用葉書を封入する封筒と、から少なくとも構成され、前記招待案内状、前記返信用葉書、又は前記封筒のいずれか１つ以上に、特定のＷｅｂサイトにリンクするＵＲＬと関連付けられた二値以上の２次元コード及び／又は識別符号が印刷されるか或いは無線ＩＣチップが埋め込まれたシールが貼り付けられていることを特徴とする招待状。
【００２２】
結婚式又は結婚披露宴における、当事者氏名を印刷した氏名印刷部と、開催日時を印刷した開催日時印刷部と、開催場所を印刷した開催場所印刷部と、を少なくとも備える招待案内状と、前記招待案内状に対する返信用葉書と、前記招待案内状及び返信用葉書を封入する封筒と、特定のＷｅｂサイトにリンクするＵＲＬと関連付けられた二値以上の２次元コード及び／又は識別符号が印刷されるか或いは無線ＩＣチップが埋め込まれたカード、シート、又はシールのいずれかと、を備えることを特徴とする招待状。
【符号の説明】
【００２３】
１.はがき
２. 動画情報にリンクしたＵＲＬ
３. 動画情報にリンクした2次元コード
４. 動画情報にリンクしたＵＲＬのスタンプ
５. 動画情報にリンクした2次元コードのスタンプ
６. シール台紙
７. 動画情報とリンクしたＵＲＬ情報を持つシール
８. 携帯電話
９. インターネット網
１０．特定のＵＲＬ先のサーバー
【図１】
2010250423.tif 000003
【図２】
2010250423.tif 000004
【図３】
2010250423.tif 000005
【図４】
2010250423.tif 000006
【図５】
2010250423.tif 000007
【図６】
2010250423.tif 000008